(57)【要約】      （修正有）【課題】軽量で簡易かつ廉価であり、何処へでも手軽に持ち運びして簡易かつ短時間の操作で設置することが可能であり、各種球技の練習を手軽かつ効率的に行うことを可能とする球技用ネット装置を提供する。【解決手段】可撓性を有する前面フレーム体２と底部フレーム体３と、フレーム鞘体４とネット体５と保持ポール部材とから構成され、前面フレーム体２と底部フレーム体３を重ね合わせるようにして折り畳んだ状態で持ち運びし、前面フレーム体２を底部フレーム体３に対して回動操作して立設した状態で、保持ポール部材をフレーム鞘体４に組み付けてＬ字状の形態として設置する。【選択図】図１
0003152357.tif 000002
【実用新案登録請求の範囲】
【請求項１】
自立強度を有しかつ折曲自在な可撓性を有するポール材により全体枠状とされ、使用時に一辺部を設置辺部として立設されるとともに、未使用時に折り畳まれる前面フレーム体と、自立強度を有しかつ折曲自在な可撓性を有するポール材により全体枠状とされ、一辺部が連設辺部として前記前面フレーム体の前記設置辺部と組み合わされて回動支点辺部を構成し、使用時に全体を設置底枠として前記回動支点辺部を介して回動された前記前面フレーム体を支持して設置されるとともに、未使用時に前記前面フレーム体に対して重ね合わせるようにして折り畳まれる底部フレーム体と、シート素材を全体略枠状の袋体に形成し、前記前面フレーム体と前記底部フレーム体を内部に挿通して収納することにより一体化して組み合わせるフレーム鞘体と、前記フレーム鞘体に外周部位を固定され、略Ｌ字状に展開した前記前面フレーム体と前記底部フレーム体で囲まれた背面空間部を閉塞して張られてボール受け空間部を構成するネット体と、略Ｌ字状に組み合わせた前記前面フレーム体と前記底部フレーム体の相対する左右部位にそれぞれ跨って筋交い状態で組み付けられることにより、前記前面フレーム体と前記底部フレーム体の略Ｌ字状の組み合わせ状態を保持する左右一対の保持ポール部材とから構成され、前記フレーム鞘体には、前記前面フレーム体と前記底部フレーム体の左右の連設部位に跨るコーナ部位に位置して、両端部位が前記前面フレーム体の側辺部と相対する前記底部フレーム体の側辺部とにそれぞれ対向しかつ前記保持ポール部材が挿脱自在な保持ポール部材収納袋部が形成され、前記底部フレーム体に対して前記前面フレーム体を略Ｌ字状に回動操作した状態で、前記保持ポール部材収納袋部に対してそれぞれ挿通されて組み付けられた前記保持ポール部材が、前記前面フレーム体と前記底部フレーム体との間に筋交い状態で介在して組み合わせ状態を保持することを特徴とする球技用ネット装置。
【請求項２】
前記前面フレーム体と前記底部フレーム体は、略同形の矩形枠状に形成され、それぞれ前記回動支点辺部を一辺とするほぼ直角三角形状に二つ折りし、直角コーナ部を中心としてさらに二つ折りして折り畳んで一方側を他方側の内部へ押し込むようにすることにより全体として３重の略円形体からなる折畳み体とし、前記折畳み体を保持ベルトにより保持してバックに収納されることを特徴とする請求項１に記載の球技用ネット装置。
【請求項３】
前記フレーム鞘体には、前記底部フレーム体の各コーナ部との対向部位にそれぞれ形成したコーナ補強部に、それぞれ設置用ペグの打込み部が設けられていることを特徴とする請求項１又は請求項２に記載の球技用ネット装置。
【請求項４】
前記前面フレーム体と前記底部フレーム体には、前記回動支点辺部と対向する先端側の部位に形成した接続部に、設置用ペグを接続したロープを掛け止めする掛止め部が設けられていることを特徴とする請求項１乃至請求項３のいずれか１項に記載の球技用ネット装置。
【請求項５】
前記保持ポール部材は、少なくとも２本の分割ロッドから構成され、一方のロッドに対して他方のロッドを差し込んで所定の長さに一体化して用いられることを特徴とする請求項１乃至請求項４のいずれか１項に記載の球技用ネット装置。
【考案の詳細な説明】
【技術分野】
【０００１】
本考案は、例えば野球、サッカー、ゴルフ或いはテニス等の各種球技の練習用として、適宜の場所に持ち運ばれて組立設置されるとともに練習後はコンパクトに折り畳まれる球技用ネット装置に関する。
【背景技術】
【０００２】
例えば野球では、より多くの機会を捉えてボールを打ち、また投げる等の基本練習を行うことによりボール感覚を掴んで技量の向上を図ることが極めて重要である。かかる基本練習でも、ボールを投げたり捕球したりする相手が必要であり、また練習内容に応じた広い場所も必要であり、さらにその場合に遠くに散在したボールを回収することが大変であることから、設備の整った練習場である程度の仲間が集まって実施される。このように各種球技において、個人や少人数で狭い場所であっても手軽な場所で自主練習を実施することが困難であった。
【０００３】
このため、もっぱら各種球技の個人練習用として、様々な簡易ネット装置が提供されている。特許文献１及び特許文献２には、フレームが展開・折畳み自在に構成され、折り畳んだ状態で適宜の場所に持ち運ばれるとともにフレームを展開してネットを掛け合わすことにより設置され、練習後には再び折り畳まれて撤収される携帯可能な簡易型ネット装置が記載されている。簡易型ネット装置は、可撓性を有するパイプが円弧状に湾曲して設置される。
【０００４】
また、特許文献３には、複数のパイプ材をヒンジ構造により展開可能に組み合わせてフレームを構成し、このフレームにネットを掛け合わせてなる持ち運び自在な簡易型ネット装置が記載されている。なお、この簡易型ネット装置においては、投げ込まれたボールが底面ネット上を前方へと流れ落ちるように構成されてなる。
【先行技術文献】
【特許文献】
【０００５】
【特許文献１】特開平８−３１８０１５号公報
【特許文献２】特表２００２−５２０１０２号公報
【特許文献３】特開平２−１７０８５号公報
【考案の概要】
【考案が解決しようとする課題】
【０００６】
携帯型ネット装置は、大掛かりな設置工事等を不要とし、適宜の場所に持ち運んで設置して使用することが可能であり、競技者に対して手軽に自主練習の場を提供する。携帯型ネット装置は、例えば未使用時にはコンパクトに折り畳まれるとともに、使用時には簡易な操作により所定の大きさに展開されて設置される必要がある。また、携帯型ネット装置であっても、使用時には投げ込まれたり打ち込まれたボール等を確実に受け止めるとともに、風等により飛ばされたり移動しないようにしっかりと固定設置される必要がある。
【０００７】
特許文献１に記載の多目的スポーツ用ネットは、内部でゴムひもにより互いに連結された複数本の可撓性パイプをつなげて円弧状に湾曲させ、その両端部を地中に差し込んで固定する。多目的スポーツ用ネットは、構造が簡易で廉価であり、取り扱いも簡便である。しかしながら、多目的スポーツ用ネットは、両端部を地中に差し込んで固定する構造であることから、強固に設置することが困難な構造であるとともに湾曲状態によって開口部の形状が変わってしまう。このため、多目的スポーツ用ネットは、比較的初級者用として、単にボール等を投げ込み或いは蹴り込んだりする練習用として好適ではあるが、上級者用或いはコントロール調整等の練習用には不向きである。
【０００８】
特許文献２に記載のゴルフ練習装置は、もっぱらゴルフ練習用に好適な装置であり、各種球技の練習用としては用いられない。また、ゴルフ練習装置は、構成部材も多く比較的高価であるとともに組立設置も面倒であり、携帯型として適宜の場所に持ち運んで設置使用する形態で用いられることは少ない。ゴルフ練習装置は、打者の位置とネットの位置が近接しており、打たれたボールの飛行状態を識別することが困難でありもっぱら打込み用として利用される。
【０００９】
特許文献３に記載の多目的投球装置は、パイプ材を組み合わせてフレームを構成し、このフレームにネットを掛け合わせるとともに投げ込まれたボールを所定位置に自動回収されるようにする。多目的投球装置は、支柱となるパイプ材を回動することにより展開或いは折畳み自在に構成されるが、折り畳んだ状態では前後方向のコンパクト化は図られても長さ（高さ）や横幅はそのままの大きさである。多目的投球装置は、個人練習用に使用されるよりはむしろ正規の練習の場に設置されて投球、打撃練習用に使用される。
【００１０】
そこで、本考案は、軽量で簡易かつ廉価であり、何処へでも手軽に持ち運びして簡易かつ短時間の操作で設置することが可能であり、各種球技の練習を手軽かつ効率的に行うことを可能とする球技用ネット装置を提供することを目的とする。
【課題を解決するための手段】
【００１１】
上述した目的を達成する本考案にかかる球技用ネット装置は、前面フレーム体と、底部フレーム体と、フレーム鞘体と、ネット体と、左右一対の保持ポール部材とから構成される。球技用ネット装置は、前面フレーム体が、例えば金属や合成樹脂材等の自立強度を有しかつ折曲自在な可撓性を有する素材からなるポール材により全体枠状とされ、使用時に一辺部を設置辺部として立設されるとともに、未使用時に折り畳まれる。球技用ネット装置は、底部フレーム体が、例えば前面フレーム体と同等の金属や合成樹脂材等の自立強度を有しかつ折曲自在な可撓性を有する素材からなるポール材により全体枠状とされ、一辺部が連設辺部として前面フレーム体の設置辺部と組み合わされて回動支点辺部を構成し、使用時に全体を設置底枠として回動支点辺部を介して回動操作されて、例えば略Ｌ字状の形態とされた前面フレーム体を支持して設置されるとともに、未使用時に前面フレーム体に対して重ね合わせるようにして折り畳まれる。
【００１２】
球技用ネット装置は、フレーム鞘体が、例えばカンバスシートや合成樹脂製シート等の厚手で機械的強度の大きな布製シート素材が用いられ、このシート素材を全体略枠状の袋体に形成して前面フレーム体と底部フレーム体を内部に挿通して収納することにより、これら前面フレーム体と底部フレーム体の形態を保持するとともに回動支点辺部を介して一体化して組み合わせる。球技用ネット装置は、ネット体が、例えば合成樹脂ロープ等を適宜の大きさの網目に編んでなり、フレーム鞘体に外周部位を固定されて立設された前面フレーム体を開口部として略Ｌ字状の形態とした前面フレーム体と底部フレーム体で囲まれた背面空間部を閉塞して張られてボール受け空間部を構成する。球技用ネット装置は、各保持ポール部材が、略Ｌ字状に組み合わせた前面フレーム体と底部フレーム体の相対する左右部位にそれぞれ跨って筋交い状態で組み付けられることにより、略Ｌ字状に展開された前面フレーム体と底部フレーム体の立体形状を保持する。
【００１３】
球技用ネット装置は、フレーム鞘体に、前面フレーム体と底部フレーム体の左右の連設部位に跨るコーナ部位に対向位置して、両端部位が前面フレーム体の側辺部と相対する底部フレーム体の側辺部とにそれぞれ対向し、かつ各保持ポール部材が挿脱自在な例えばファスナにより開閉される保持ポール部材収納袋部が形成される。球技用ネット装置は、底部フレーム体に対して前面フレーム体を略Ｌ字状に回動操作した状態で、各保持ポール部材が保持ポール部材収納袋部内にそれぞれ挿通されて組み付けられる。球技用ネット装置は、各保持ポール部材が、前面フレーム体と底部フレーム体との間において突張る筋交い状態で介在することにより、前面フレーム体と底部フレーム体の略Ｌ字状の組み合わせ状態を保持する。球技用ネット装置は、上述した簡易な構造であり、充分な機械的強度を有し、かつ廉価であるとともに、小さく折り畳んで持ち運びされる。
【００１４】
球技用ネット装置においては、未使用時に前面フレーム体と底部フレーム体が重ね合わせるようにして折り畳まれて折畳み体を構成し、この折畳み体がキャリングバック等に収納される。球技用ネット装置においては、適宜の場所に持ち運んでキャリングバック等から取り出され、前面フレーム体が底部フレーム体に対して回動操作して略Ｌ字状の形態に展開した状態で、保持ポール部材をフレーム鞘体の保持ポール部材収納袋部内にそれぞれ挿通して組み付ける一連の簡易な操作により設置される。球技用ネット装置においては、前面フレーム体により囲まれた開口部からボール受け空間部内にボール等を投げ込んだり打ち込んだり或いは蹴り込む等の練習が行われるようにする。球技用ネット装置においては、何処へでも手軽に持ち運びされ、簡易かつ短時間の操作で使用することが可能であり、手軽でかつ効率的な練習を行うことが可能となり技量の向上に貢献する。
【００１５】
本考案にかかる球技用ネット装置は、前面フレーム体と底部フレーム体が、略同形の矩形枠状に形成され、それぞれ回動支点辺部を一辺とするほぼ直角三角形状に二つ折りし、直角コーナ部を中心としてさらに二つ折りして一方を他方の内部に押し込むようにすることにより全体として３重に重なり合った円形状態に折り畳まれてなる折畳み体とされる。球技用ネット装置は、前面フレーム体や底部フレーム体が可撓性を有するポール材により形成されており、使用後には簡易な操作と軽微な力により小さく折り畳むことが可能である。球技用ネット装置は、前面フレーム体と底部フレーム体を小さく折り畳んだ折畳み体を保持ベルトにより折り畳んだ状態に保持してキャリングバック内に収納される。球技用ネット装置は、取り扱いが極めて簡便であり、上述したように何処へでも持ち運びされて使用される。
【００１６】
本考案にかかる球技用ネット装置は、フレーム鞘体が例えばカンバスシート材や合成樹脂シート等を素材として形成され、底部フレーム体の各コーナ部との対向部位に形成した補強部位にそれぞれ設置用ペグの打込み部が設けられている。球技用ネット装置は、強靱かつ軽量のシート材を素材として形成したフレーム鞘体が、前面フレーム体と底部フレーム体の枠状形態を保持するとともにこれらを補強し、また軽量化が図られるようにする。球技用ネット装置は、フレーム鞘体の底部フレーム体の各コーナ部との対向部位に形成した補強部位の打込み部から設置用ペグを打ち込むことにより、強固に設置することが可能である。
【００１７】
本考案にかかる球技用ネット装置は、フレーム鞘体の前面フレーム体と底部フレーム体の回動支点辺部と対向する先端側の部位に形成した接続部に、設置用ペグを接続したロープを掛け止めする掛止め部が設けられる。球技用ネット装置は、前面フレーム体と底部フレーム体とを背面側においても設置用ペグを介して固定することにより、さらに強固に設置することが可能である。
【００１８】
本考案にかかる球技用ネット装置は、保持ポール部材を少なくとも２本に分割したロッドにより構成するとともに、一方のロッドに対して他方のロッドを差し込んで所定の長さに一体化して用いる。球技用ネット装置は、紛失しやすい小ネジや結合ブラケット等の小部品を不要とし、ロッドを挿脱する簡易な操作により所定の長さとした保持ポール部材で構成される。球技用ネット装置は、保持ポール部材を小さく折り畳んで前面フレーム体と底部フレーム体の折畳み体と一緒にキャリングバック内に収納することが可能である。
【００１９】
本考案にかかる球技用ネット装置は、フレーム鞘体に、前面フレーム体と底部フレーム体とを回動支点辺部と対向する先端側部位において筋交い帯により連結する。球技用ネット装置は、フレーム鞘体の筋交い帯により前面フレーム体と底部フレーム体を背面空間部側においても支えることにより強度の向上が図られるようにする。球技用ネット装置は、筋交い帯を利用してネット体の内部に補助ネットを張って２重ネット構造を構成することも可能である。球技用ネット装置は、前面フレーム体と底部フレーム体とともに筋交い帯を利用して上述したネット底部を構成するネットを取り付けることも可能である。
【００２０】
本考案にかかる球技用ネット装置は、前面フレーム体に、その開口部を覆いかつ所定の位置に個別開口部を形成した前面シート体を張った状態で立設するようにしてもよい(図示せず)。球技用ネット装置は、枠状の前面フレーム体の全体を開口部として投球や打込み等の練習を行う使用形態ばかりでなく、前面シート体に形成した特定位置の開口部にボール等を投げ込み或いは打ち込むことによりもっぱらコントロール力を付ける練習等を行うことも可能である。
【考案の効果】
【００２１】
本考案にかかる球技用ネット装置は、前面フレーム体と、底部フレーム体と、フレーム鞘体と、ネット体と、左右一対の保持ポール部材とから構成され、前面フレーム体と底部フレーム体を重ね合わせるようにして折り畳んだ状態で持ち運びし、前面フレーム体を底部フレーム体に対して回動操作して立設した状態で、保持ポール部材をフレーム鞘体に組み付けて設置する。球技用ネット装置は、軽量で簡易かつ廉価であり、何処へでも手軽に持ち運びして簡易かつ短時間の操作で強固に設置することが可能であり、各種球技の練習を手軽かつ効率的に行うことが可能となり技量の向上に貢献する。
【図面の簡単な説明】
【００２２】
【図１】本考案の実施の形態として示す球技用ネット装置の使用状態の斜視図である。
【図２】同球技用ネット装置を折り畳んだ状態の斜視図である。
【図３】同球技用ネット装置の底部フレーム体の斜視図である。
【図４】同球技用ネット装置の前面フレーム体と底部フレーム体との結合部位を示す要部斜視図である。
【図５】前面フレーム体と底部フレーム体との結合部位の要部断面図である。
【図６】保持ポール部材の要部断面図である。
【考案を実施するための形態】
【００２３】
以下、考案の実施の形態として図面に示した球技用ネット装置（以下、ネット装置と略称する。）１について詳細に説明する。ネット装置１は、図１に示すように前面フレーム体２と、底部フレーム体３と、フレーム鞘体４と、ネット体５と、左右一対の保持ポール部材６Ｌ、６Ｒ（以下、個別に説明する場合を除いて保持ポール部材６と総称する。）とから構成される。ネット装置１は、詳細を後述するように未使用時には図２に示すように保持ポール部材６を取り外した前面フレーム体２と底部フレーム体３を多層の円形状態に折り畳んで折畳み体７として構成され、この折畳み体７を保持ベルト８によりまとめた状態に保持してキャリングバック９に収納する。ネット装置１は、キャリングバック９に収納した状態で適宜の場所に持ち運ばれる。
【００２４】
ネット装置１は、前面フレーム体２と底部フレーム体３が互いにほぼ同形の縦長矩形枠状に形成され、詳細を後述するようにフレーム鞘体４内に封装して収納することにより芯材を構成して一体とされてなる。ネット装置１は、図１及び図３に示すように前面フレーム体２と底部フレーム体３が、相対する長さ方向の一辺部を重ね合わせた状態で一体に形成したフレーム鞘体４内に収納される。ネット装置１は、前面フレーム体２と底部フレーム体３が重ね合わせた一辺部において回動支点辺部１０を構成し、使用時においてこの回動支点辺部１０を介して前面フレーム体２が底部フレーム体３に対して回動操作されることにより立設される。
【００２５】
ネット装置１は、使用時において底部フレーム体３に対して前面フレーム体２を回動操作することにより図１に示すように全体が略Ｌ字状の形態となり、このＬ字状形態を左右の立ち上がりコーナ部１Ｌ、１Ｒにおいて後述するようにフレーム鞘体４内に収納して組み付ける保持ポール部材６により保持する。ネット装置１は、立設した前面フレーム体２により高さ方向の開口部を構成してボールの投げ込み、打ち込み或いは蹴り込みが行われるようにする。ネット装置１は、前面フレーム体２と底部フレーム体３とにより囲まれた背面空間部がボール受け空間部１１を構成し、このボール受け空間部１１を閉塞してフレーム鞘体４を介してネット体５が張られる。
【００２６】
ネット装置１は、前面フレーム体２が、自立強度を有し、かつ中央部の近傍位置等のある程度の長さ位置で折曲・復元が可能な、例えばやや太経のピアノ線やグラスファイバー或いは合成樹脂線材等の可撓性を有するポール材を素材とし、全体を矩形枠状に折曲して形成してなる。前面フレーム体２は、使用時において上述した回動支点辺部１０を構成する一辺部が設置辺部となり、底部フレーム体３に対して回動操作されて垂直状態に立設される。前面フレーム体２は、高さ方向の開口部を構成してボールが投げ込まれ、打ち込まれ或いは蹴り込まれるようにする。
【００２７】
ネット装置１は、底部フレーム体３も、前面フレーム体２と同一素材を用いて略同一形状の矩形枠状に形成される。底部フレーム体３は、フレーム鞘体４を介して回動支点辺部１０において前面フレーム体２と一体に連設される。底部フレーム体３は、使用時において全体を設置底枠として地面上に設置され、図３に示すようにフレーム鞘体４の内周に全周に亘って一体に形成した詳細を後述するフランジ片部１２の各コーナ補強部１３Ａ〜１３Ｄに形成した設置孔からそれぞれ設置用ペグ１４Ａ〜１４Ｄ（以下、個別に説明する場合を除いて設置用ペグ１４と総称する。）を打ち込むことによりしっかりと固定設置される。
【００２８】
ネット装置１は、上述したように前面フレーム体２と底部フレーム体３を互いに略同形の矩形枠状としたが、かかる構成に限定されないことは勿論である。ネット装置１は、適用する球技の種類等に応じて前面フレーム体２が例えば円形等の形状とされる。ネット装置１は、底部フレーム体が設置部を構成することから、確実に設置が行われる適宜の形状、例えば円形や三角形の枠形状であってもよい。ネット装置１は、前面フレーム体２と底部フレーム体３を異なる外形とすることにより、異なる球技に応じて前面と底部とを入れ替えて使用するようにしてもよい。ネット装置１は、後述する収納形態から、前面フレーム体２と底部フレーム体３が略同形であることが好ましい。
【００２９】
ネット装置１は、フレーム鞘体４が、構成各部材の取付、組付部材として機能するとともに、取り扱いに際して構成各部材間の結合部位を覆って安全性を保持し、また構成部材間の結合強度の向上を図り、外観の向上を図る部材である。フレーム鞘体４は、前面フレーム体２や底部フレーム体３を内部に挿通して収納することにより、それらの枠形状を保持する。フレーム鞘体４は、例えばカンバスシートや適宜の合成樹脂製シート等の厚手で機械的強度の大きな布製シート素材が用いられて形成される。
【００３０】
フレーム鞘体４は、前面フレーム体２を収納する矩形枠状部位からなる前面フレーム体収納袋部４Ａと、底部フレーム体３を収納する矩形枠状部位からなる底部フレーム体収納袋部４Ｂと、これら前面フレーム体収納袋部４Ａと底部フレーム体収納袋部４Ｂを連設する中央部の回動支点辺部１０の対応部位である中央連結部４Ｃとからなる全体が略「８」形を基本外形に形成されてなる。フレーム鞘体４は、この「８」形の基本外形部位が袋状に形成されており、上述したようにその内部に前面フレーム体２と底部フレーム体３を封装する。
【００３１】
フレーム鞘体４は、上述したように前面フレーム体２と底部フレーム体３を収納して枠状形態を保持するように構成したが、全体を袋状に形成しなくともよい。フレーム鞘体４は、前面フレーム体２と底部フレーム体３の形態を保持しまた補強する部位、例えば回動支点辺部１０や各コーナ部位等を袋状としたものであってもよい。フレーム鞘体４は、ネット装置１の大きさや使用目的に応じて適宜の形態で形成される。
【００３２】
フレーム鞘体４は、袋状部位からなる基本外形部位の内周に上述したように全周に亘って所定幅のフランジ片部１２を一体に形成し、このフランジ片部１２にネット体５の外周部位を適宜固定する。ネット体５は、例えば合成樹脂ロープや天然素材ロープを適宜の大きさの網目に編んでなり、上述したように前面フレーム体２と底部フレーム体３とにより囲まれたボール受け空間部１１を閉塞するように張られる。ネット体５は、図１に示すように前面フレーム体２の両側フレームの上端近傍部位と底部フレーム体３の両側フレームの後端近傍部位を連結する厚手の布地等で形成した稜線部５Ｌ、５Ｒを有する。ネット体５は、これら稜線部５Ｌ、５Ｒにより使用時において立体形状が保持されるようになる。
【００３３】
なお、ネット体５は、フレーム鞘体４のフランジ片部１２に固定する構造に限定されないことは勿論であり、全体或いは一部をフレーム鞘体４の前面フレーム体収納袋部４Ａや底部フレーム体収納袋部４Ｂに掛け止めする構造であってもよい。また、ネット体５は、適宜の構造により前面フレーム体２や底部フレーム体３に対して着脱自在とした構造であってもよい。ネット体５は、前面フレーム体２と底部フレーム体３を囲む外周部位と天井部位を覆う構成としたが、底部フレーム体３から所定の高さ位置においてボールを受け止めるネット底部を一体に設けたものであってもよい。
【００３４】
フレーム鞘体４は、図３に示すように底部フレーム体３を収納する枠状の底部フレーム体収納袋部４Ｂのフランジ片部１２の各コーナ部分をやや厚手として上述したコーナ補強部１３Ａ〜１３Ｄをそれぞれ形成する。なお、フレーム鞘体４には、詳細を省略するが前面フレーム体２を収納する枠状の前面フレーム体収納袋部４Ａの各コーナ部分にも同様にしてコーナ補強部が形成されており、また適宜の位置に同様の補強部を形成するようにしてもよい。
【００３５】
フレーム鞘体４には、図３に示すように各コーナ補強部１３に形成した設置孔にそれぞれ紐が結びつけられており、この紐の先端に設置用ペグ１４が取り付けられている。設置用ペグ１４は、上端部をＵ字状に折曲した金属棒からなり、このＵ字状部位を底部フレーム体３のコーナ部分に引っ掛けた状態で設置場所の地中に打ち込まれることにより、底部フレーム体３を設置した状態で固定する。なお、設置用ペグ１４は、紐によりフレーム鞘体４と接続することにより、未使用時において折畳み体７内に収納されて紛失が防止されるとともに設置時における使用箇所が明確となる。設置用ペグ１４は、上述した構成に限定されず、例えばテント用等に用いられる各種の設置用ペグと同等品を用いるようにしてもよい。
【００３６】
フレーム鞘体４には、図４及び図５に示すように、回動支点辺部１０の対応部位を挟む前面フレーム体２と底部フレーム体３を収納する部位に跨る左右の立ち上がりコーナ部１Ｌ、１Ｒにおいて、筋交い片部１５Ｌ、１５Ｒ（以下、個別に説明する場合を除いて筋交い片部１５と総称する。）が一体に形成されている。筋交い片部１５は、図５に示すように前面フレーム体２が底部フレーム体３に対して回動操作されて垂直に立ち上げられたＬ字状の形態とされた状態において、これら前面フレーム体２と底部フレーム体３との間の斜辺の長さとほぼ等しく形成される。
【００３７】
フレーム鞘体４には、図４に示すように筋交い片部１５の上辺部位を袋状として保持ポール部材６を挿脱自在とする保持ポール部材収納袋部１６Ｌ、１６Ｒ（以下、個別に説明する場合を除いて保持ポール部材収納袋部１６と総称する。）が一体に形成されている。フレーム鞘体４は、筋交い片部１５により底部フレーム体３に対する前面フレーム体２の回動角度を規定してＬ字状形態となるようにするが、筋交い片部１５がこのＬ字状形態からの前面フレーム体２の倒れ込みを規制することはできない。
【００３８】
フレーム鞘体４には、このために保持ポール部材収納袋部１６に芯材として保持ポール部材６を組み付けて前面フレーム体２と底部フレーム体３に対して筋交い作用が奏されるようにする。保持ポール部材収納袋部１６には、その一部に開口部が形成され、この開口部を開閉するファスナ１７が設けられている。保持ポール部材収納袋部１６には、回動操作されてファスナ１７を開いて開口部を介してその内部に保持ポール部材６が挿通されて組み付けられる。なお、保持ポール部材収納袋部１６は、ファスナ１７に代えて例えば面ファスナにより開口部を開閉する構造としてもよい。
【００３９】
保持ポール部材６は、図６に示すように第１ロッド１８Ａと、第２ロッド１８Ｂと、連結用ブッシュ１８Ｃと、弾性紐１８Ｄとから構成される。保持ポール部材６は、第１ロッド１８Ａと第２ロッド１８Ｂが、例えばアルミ材やグラスロッド等を素材として互いに同形に形成され、つなぎ合わせることにより全体でフレーム鞘体４の保持ポール部材収納袋部１６の長さ、換言すれば前面フレーム体２と底部フレーム体３間の斜辺の長さとなる。保持ポール部材６は、連結用ブッシュ１８Ｃが、例えばアルミ材により、第１ロッド１８Ａや第２ロッド１８Ｂと略同径の筒状に形成される。保持ポール部材６は、連結用ブッシュ１８Ｃが第１ロッド１８Ａの先端部に対して、長さの約１／２程度を突出させた状態で固定される。
【００４０】
保持ポール部材６は、全長とほぼ同長若しくはやや短い長さのゴム等からなる弾性紐１８Ｄが、一端側を第１ロッド１８Ａに対して連結用ブッシュ１８Ｃを固定した端部と対向する他端側に固定される。弾性紐１８Ｄは、第１ロッド１８Ａの内部を貫通されて第２ロッド１８Ｂ内を導かれてその他端側を固定される。弾性紐１８Ｄは、未使用時において、第１ロッド１８Ａから第２ロッド１８Ｂを引き抜いて保持ポール部材６を短縮するが、これら第１ロッド１８Ａと第２ロッド１８Ｂが一体化された状態を保持することにより紛失や使用時の誤結合を防止し、簡易な取り扱いが行われるようにする。
【００４１】
保持ポール部材６は、前面フレーム体２を底部フレーム体３に対して回動操作してＬ字状形態とする使用時に際して、図４に示すように第１ロッド１８Ａと第２ロッド１８Ｂを結合しフレーム鞘体４の保持ポール部材収納袋部１６内に収納する操作が行われる。保持ポール部材６は、第１ロッド１８Ａに対して第２ロッド１８Ｂが相対する端部を連結用ブッシュ１８Ｃにはめ込むことにより、所定の長さに一体化される。保持ポール部材６は、ファスナ１７を動かして開口部を開口した保持ポール部材収納袋部１６内に一端側から挿通して組み付けられる。
【００４２】
保持ポール部材６は、上述したようにフレーム鞘体４の保持ポール部材収納袋部１６が前面フレーム体２と底部フレーム体３との間において筋交い状に介在しており、この保持ポール部材収納袋部１６内に収納されることにより芯材となって前面フレーム体２と底部フレーム体３を保持する。保持ポール部材６は、第１ロッド１８Ａと第２ロッド１８Ｂが所定の長さで一体化されて図５に示すように保持ポール部材収納袋部１６内で相対する前面フレーム体２と底部フレーム体３に突き当たることにより、これら前面フレーム体２と底部フレーム体３をコーナ部１Ｌ、１ＲにおいてＬ字状の形態に保持する。
【００４３】
保持ポール部材６は、未使用時にはフレーム鞘体４の保持ポール部材収納袋部１６から取り出される。保持ポール部材６は、第１ロッド１８Ａに対して第２ロッド１８Ｂが連結用ブッシュ１８Ｃから引き抜かれることにより分割されて短い長さとなる。保持ポール部材６は、第１ロッド１８Ａと第２ロッド１８Ｂがその内部で弾性紐１８Ｄにより連結されており分離することは無い。保持ポール部材６は、図２に示すように前面フレーム体２と底部フレーム体３を折り畳んだ折畳み体７とともにキャリングバック９に収容される。
【００４４】
以上のように構成されたネット装置１は、コンパクトに折り畳むことが可能であり、軽量かつ機械的強度を有する構造であり、キャリングバック９内に収納して何処へでも手軽に持ち運んで使用することが可能である。ネット装置１は、練習場所において簡単な操作かつ短時間で組立・設置が行われるとともに、練習後も速やかに撤去してキャリングバック９内に収納することが可能である。ネット装置１は、組立操作や折畳み操作が例えば小学校の高学年以上であれば１人で行うことが可能であり、安全かつ効率的な一人練習を行うことも可能とさせる。
【００４５】
ネット装置１は、キャリングバック９内に前面フレーム体２と底部フレーム体３を折り畳んだ折畳み体７と、第１ロッド１８Ａから第２ロッド１８Ｂを引き抜いて短い長さとした保持ポール部材６と、設置用ペグ１４を収納して適宜の練習場所に持ち運びされる。ネット装置１は、練習場所においてキャリングバック９から折畳み体７を取り出して、外周部から保持ベルト８を取り外す。ネット装置１は、前面フレーム体２と底部フレーム体３が、それぞれ折り畳まれた状態で弾性力が蓄勢されており、この弾性力によりそれぞれ枠状の自然状態に展開する。ネット装置１は、底部フレーム体３に対して前面フレーム体２が、回動支点辺部１０を介して回動操作されてＬ字状の形態とされる。
【００４６】
ネット装置１は、第１ロッド１８Ａと第２ロッド１８Ｂを一体化した保持ポール部材６をフレーム鞘体４の保持ポール部材収納袋部１６内にそれぞれ挿通して組み付ける。ネット装置１は、Ｌ字状の形態とされた前面フレーム体２と底部フレーム体３が、コーナ部１Ｌ、１Ｒにおいてフレーム鞘体４の筋交い片部１５と保持ポール部材収納袋部１６内の保持ポール部材６の筋交い作用により、そのＬ字状形態を強固に保持される。ネット装置１は、所定の場所に位置決めした状態で設置用ペグ１４が地中に打ち込まれて底部フレーム体３を固定することにより、しっかりと設置される。
【００４７】
ネット装置１は、前面フレーム体２により囲まれた高さ方向の矩形開口部からボール受け空間部１１内にボールの投げ込み、打ち込み或いは蹴り込み等の練習が行われるようにする。ネット装置１は、打ち込まれたり、投げ込まれたりしたボールを、ボール受け空間部１１内においてネット体５により受け止める。
【００４８】
ネット装置１は、例えばバッティング練習やサッカーのシュート練習等のようにボール受け空間部１１内に大きな力でボールが飛び込んでくる練習用にも使用される。ネット装置１は、上述したように底部フレーム体３が設置用ペグ１４により強固に固定されており、可撓性を有する素材を用いた前面フレーム体２と底部フレーム体３或いはこれらを一体に保持するとともに補強するフレーム鞘体４や保持ポール部材６を備える構造により、衝撃により移動したりすることもなくボール受け空間部１１内においてボールを確実に受け止める。
【００４９】
ネット装置１は、練習後に、設置用ペグ１４を地中から引き抜き、フレーム鞘体４の保持ポール部材収納袋部１６内から保持ポール部材６を取り出して前面フレーム体２と底部フレーム体３の折畳み操作が行われる。ネット装置１は、前面フレーム体２と底部フレーム体３が、回動支点辺部１０を介して重ね合わせるようにして折り畳まれる。ネット装置１は、重ね合わされた前面フレーム体２と底部フレーム体３を、回動支点辺部１０を一辺とするほぼ直角三角形状に二つ折りして折畳み中間体とする。
【００５０】
ネット装置１は、この折畳み中間体に対して、直角コーナ部を押さえ付けた状態で両側部位を中央に向かって引き寄せるように二つ折りすることにより全体を４つ折りした状態とする。ネット装置１は、一方の部位を他方の部位内へと嵌合するように曲げ込むことにより、前面フレーム体２と底部フレーム体３がそれぞれ上下２重の輪となり全体として３重の円形状態に折り畳まれてなる折畳み体７となる。折畳み体７は、前面フレーム体２による２つの輪と底部フレーム体３による２つの輪が上下で干渉し合ってバランスを保ち、３重の円形状態が仮保持される。
【００５１】
ネット装置１は、上述したように前面フレーム体２と底部フレーム体３は可撓性を有するポール材により形成したことにより、上述した折り畳み操作が可能とされる。ネット装置１は、折畳み体７を構成した状態でそれぞれ２つ折りされた前面フレーム体２と底部フレーム体３に初期状態へと復元しようとする弾性力が蓄勢されている。ネット装置１は、上述したようにこの弾性力により、使用時に前面フレーム体２と底部フレーム体３とが自動展開して初期形態となる。
【００５２】
ネット装置１は、詳細を省略するが折畳み体７の内部空間にネット体５や設置用ペグ１４が治められる。ネット装置１は折畳み体７に、例えばゴムベルトを平面Ｔ字状に止め合わせてなる保持ベルト８が上下方向及び外周方向を押さえ込むようにして掛け合わす。ネット装置１は、保持ベルト８により折畳み体７を保持することで、前面フレーム体２や底部フレーム体３が衝撃等で折り畳み状態のバランスが崩れて蓄勢した弾性力により拡がってしまわないようにする。ネット装置１は、折畳み体７が保持ベルト８に保持されることで、キャリングバック９内において安定した状態で収納される。
【００５３】
なお、本考案は、上述した実施の形態に限定されるものではなく、添付の実用新案登録請求の範囲及びその主旨を逸脱することなく、様々な変更、置換又は同等の構成に展開されることは勿論である。
【符号の説明】
【００５４】
１  球技用ネット装置（ネット装置）、２  前面フレーム体、３  底部フレーム体、４  フレーム鞘体、５  ネット体、６  保持ポール部材、７  折畳み体、８  保持ベルト、９  キャリングバック、１０  回動支点辺部、１１  ボール受け空間部、１２  フランジ片部、１３  コーナ補強部、１４  ペグ、１５  筋交い片部、１６  保持ポール部材収納袋部、１７  ファスナ、１８  ロッド
【図１】
0003152357.tif 000003
【図２】
0003152357.tif 000004
【図３】
0003152357.tif 000005
【図４】
0003152357.tif 000006
【図５】
0003152357.tif 000007
【図６】
0003152357.tif 000008